(57)【要約】【課題】入力操作への応答が認識し易くなるような設定を、任意かつ簡単な操作により実現可能とする給湯機用リモートコントローラ等を得ること。【解決手段】ふろ給湯機本体１の稼動に関する入力操作を受け付ける入力手段２１と、音声出力手段２５と、表示手段２４と、制御手段２０と、を有し、制御手段２０は、音声出力手段２５により出力される音声ガイダンスの設定を、第１モードと、音声ガイダンスの再生速度及び音量のうち少なくとも一方を第１モードとは異ならせた第２モードと、の間で変更させるとともに、表示手段２４に表示される文字ガイダンスの設定を、第１モードと、文字ガイダンスの表示速度を第１モードとは異ならせた第２モードと、へ変更させ、音声ガイダンス及び文字ガイダンスの第１モードと第２モードとを一括して切り換えるためのモード切り換え手段を有する。【選択図】図２
2010276283.tif 000002
【特許請求の範囲】
【請求項１】
給湯機本体の稼動に関する入力操作を受け付ける入力手段と、
前記入力手段への前記入力操作に対する応答を音声ガイダンスとして出力する音声出力手段と、
前記入力手段への前記入力操作に対する応答を文字ガイダンスとして表示する表示手段と、
前記音声出力手段及び前記表示手段を制御する制御手段と、を有し、
前記制御手段は、前記音声出力手段により出力される前記音声ガイダンスの設定を、第１モードと、前記音声ガイダンスの再生速度及び音量のうち少なくとも一方を前記第１モードとは異ならせた第２モードと、へ変更させるとともに、前記表示手段に表示される前記文字ガイダンスの設定を、第１モードと、前記文字ガイダンスの表示速度を前記第１モードとは異ならせた第２モードと、へ変更させ、
前記音声ガイダンス及び前記文字ガイダンスの前記第１モードと前記第２モードとを一括して切り換えるためのモード切り換え手段を有することを特徴とする給湯機用リモートコントローラ。
【請求項２】
前記第１モードにおける前記音声ガイダンスの再生速度に対して、前記第２モードにおける前記音声ガイダンスの再生速度は遅く設定されることを特徴とする請求項１に記載の給湯機用リモートコントローラ。
【請求項３】
前記第１モードにおける前記音声ガイダンスの音量に対して、前記第２モードにおける前記音声ガイダンスの音量は大きく設定されることを特徴とする請求項１または２に記載の給湯機用リモートコントローラ。
【請求項４】
前記第１モードにおける前記文字ガイダンスの表示速度に対して、前記第２モードにおける前記文字ガイダンスの表示速度は遅く設定されることを特徴とする請求項１、２または３に記載の給湯機用リモートコントローラ。
【請求項５】
前記音声出力手段により出力された前記音声ガイダンス、及び前記表示手段により表示された前記文字ガイダンスを記憶する記憶手段と、
前記記憶手段に記憶された前記音声ガイダンス及び前記文字ガイダンスの再生を指示する再生手段と、を有し、
前記制御手段は、前記再生手段による指示に応じて、前記記憶手段に記憶された前記音声ガイダンス及び前記文字ガイダンスを、前記モード切り換え手段で設定されたモードで再生させることを特徴とする請求項１〜４のいずれか一つに記載の給湯機用リモートコントローラ。
【請求項６】
給湯機本体と、
請求項１〜５のいずれか一つに記載の給湯機用リモートコントローラと、を有することを特徴とする給湯システム。
【発明の詳細な説明】
【技術分野】
【０００１】
本発明は、給湯機用リモートコントローラ及び給湯システムに関する。
【背景技術】
【０００２】
ふろ給湯機用リモートコントローラとして、給湯機本体の稼動に関する入力操作への応答を、音声ガイダンスにより報知するものが知られている。また、入力操作への応答を、文字ガイダンスにより報知するものが知られている。使用者は、音声ガイダンスの内容を聞き取ることにより、或いは文字ガイダンスを読み取ることにより、入力操作に応じて給湯機本体が動作を開始或いは停止したことを認識する。従来、使用者が音声ガイダンスの再生速度や音量を任意に設定可能とする技術が提案されている（例えば、特許文献１参照）。再生速度や音量が標準的な音声ガイダンスでは聞き取りが困難である場合、例えば、高齢者や障害者に対しては、再生速度を遅くすることや音量を大きくする設定により、使用者の聴力等に応じて音声ガイダンスの内容を聞き取り易くさせることができる。
【先行技術文献】
【特許文献】
【０００３】
【特許文献１】特開２００４−３４７７９９号公報
【発明の概要】
【発明が解決しようとする課題】
【０００４】
入力操作への応答を音声ガイダンス及び文字ガイダンスにより報知する場合に、音声ガイダンスに対する設定のみを可能とすると、音声ガイダンスのみが高齢者等にとって最適な設定となる一方、文字ガイダンスのスクロール速度が標準的な設定のままとなることで、音声と表示とで認識し易さに不整合が生じることとなる。また、文字ガイダンスに対する設定のみを可能とすると、文字ガイダンスのみが高齢者等にとって最適な設定となる一方、音声ガイダンスが標準的な設定のままとなることで、表示と音声とで認識し易さに不整合が生じることとなる。
【０００５】
仮に、音声ガイダンスの設定を変更させる機能と、文字ガイダンスの設定を変更させる機能とを有していても、双方の機能に関して別途操作が必要であると、使用者がいずれか一方の設定を忘れる場合や、設定の間違いが発生し易くなる。このため、使用者にとって操作性が低下してしまうこととなる。
【０００６】
本発明は、上記に鑑みてなされたものであって、入力操作への応答が認識し易くなるような設定を、任意かつ簡単な操作により実現可能とする給湯機用リモートコントローラ、及び給湯システムを得ることを目的とする。
【課題を解決するための手段】
【０００７】
上述した課題を解決し、目的を達成するために、本発明は、給湯機本体の稼動に関する入力操作を受け付ける入力手段と、前記入力手段への前記入力操作に対する応答を音声ガイダンスとして出力する音声出力手段と、前記入力手段への前記入力操作に対する応答を文字ガイダンスとして表示する表示手段と、前記音声出力手段及び前記表示手段を制御する制御手段と、を有し、前記制御手段は、前記音声出力手段により出力される前記音声ガイダンスの設定を、第１モードと、前記音声ガイダンスの再生速度及び音量のうち少なくとも一方を前記第１モードとは異ならせた第２モードと、へ変更させるとともに、前記表示手段に表示される前記文字ガイダンスの設定を、第１モードと、前記文字ガイダンスの表示速度を前記第１モードとは異ならせた第２モードと、へ変更させ、前記音声ガイダンス及び前記文字ガイダンスの前記第１モードと前記第２モードとを一括して切り換えるためのモード切り換え手段を有することを特徴とする。
【発明の効果】
【０００８】
本発明によれば、入力操作への応答が認識し易くなるような設定を、任意かつ簡単な操作により実現できるという効果を奏する。
【図面の簡単な説明】
【０００９】
【図１】図１は、実施の形態に係るふろ給湯システムの概略構成を示すブロック図である。
【図２】図２は、ふろ給湯システムの各部の詳細を示した制御ブロック図である。
【図３】図３は、浴室リモートコントローラの外観を概略的に表した平面図である。
【図４】図４は、湯はり機能を動作させているときの表示を表した図である。
【図５】図５は、ふろ給湯システムにおける第１の制御処理の手順を説明するフローチャートである。
【図６】図６は、ふろ給湯システムにおける第２の制御処理の手順を説明するフローチャートである。
【発明を実施するための形態】
【００１０】
以下に、図面に基づいて、本発明に係る給湯機用リモートコントローラ及び給湯システムの実施の形態を詳細に説明する。
【００１１】
実施の形態．
図１は、本発明の実施の形態に係るふろ給湯システムの概略構成を示すブロック図である。ふろ給湯システムは、ふろ給湯機本体１、浴室リモートコントローラ２、台所リモートコントローラ３、及びヒートポンプユニット４を備える。ふろ給湯機本体１は、制御手段１０、貯湯タンク（図示省略）を備える。ふろ給湯機本体１は、沸き上げられた湯を給湯する機能を有する。制御手段１０は、ふろ給湯機本体１を制御するマイクロコンピュータである。
【００１２】
ヒートポンプユニット４は、制御手段４０、冷凍サイクルシステム（図示省略）を備える。ヒートポンプユニット４は、ふろ給湯機本体１内の貯湯タンクに貯留された低温水を湯に沸き上げる熱源機として機能する。制御手段４０は、ヒートポンプユニット４を制御するマイクロコンピュータである。
【００１３】
給湯機用リモートコントローラである浴室リモートコントローラ２は、浴室に設置されている。浴室リモートコントローラ２は、制御手段２０、入力手段２１、表示手段２４及び音声出力手段２５を備える。制御手段２０は、浴室リモートコントローラ２を制御するマイクロコンピュータである。入力手段２１は、ふろ給湯機本体１の稼動に関して、各機能の開始や停止の指令、各機能について設定される情報等の入力操作を受け付ける。表示手段２４は、使用者による入力手段２１への入力操作やふろ給湯機本体１の運転状況に応じて、表示による報知を行う。音声出力手段２５は、使用者による入力手段２１への入力操作やふろ給湯機本体１の運転状況に応じて、音声による報知を行う。
【００１４】
給湯機用リモートコントローラである台所リモートコントローラ３は、台所に設置されている。台所リモートコントローラ３は、制御手段３０、入力手段３１、表示手段３４及び音声出力手段３５を備える。制御手段３０は、台所リモートコントローラ３を制御するマイクロコンピュータである。入力手段３１は、ふろ給湯機本体１の稼動に関して、各機能の開始や停止の命令、各機能について設定される情報等の入力操作を受け付ける。表示手段３４は、使用者による入力手段３１への入力操作やふろ給湯機本体１の運転状況に応じて、表示による報知を行う。音声出力手段３５は、使用者による入力手段３１への入力操作やふろ給湯機本体１の運転状況に応じて、音声による報知を行う。浴室リモートコントローラ２、台所リモートコントローラ３と、ふろ給湯機本体１との信号の授受は、有線及び無線のいずれによるものとしても良い。
【００１５】
図２は、ふろ給湯システムの各部の詳細を示した制御ブロック図である。ふろ給湯機本体１は、制御手段１０の他、電源１１及び通信回路１２を備える。通信回路１２は、ふろ給湯機本体１と、浴室リモートコントローラ２、台所リモートコントローラ３、ヒートポンプユニット４との間における通信信号の変換を行う。制御手段１０は、通信信号の解析、及び通信信号の送受信をする。
【００１６】
浴室リモートコントローラ２は、制御手段２０、入力手段２１、表示手段２４及び音声出力手段２５の他、電源２２及び通信回路２３を備える。入力手段２１は、各種の入力操作のための複数のスイッチを備える。通信回路２３は、浴室リモートコントローラ２とふろ給湯機本体１との間における通信信号の変換を行う。制御手段２０は、通信信号の解析、及び通信信号の送受信をする。表示手段２４は、文字等を表示するドット表示部２０１を備える。ドット表示部２０１は、例えば、液晶表示装置である。
【００１７】
音声出力手段２５は、音声ＩＣ２０２、アンプ２０３、スピーカ２０４を備える。音声ＩＣ２０２は、音声信号を合成する。アンプ２０３は、合成された音声信号を増幅させる。スピーカ２０４は、音声信号を電子音や音声ガイダンス等の音声へ変換する。制御手段２０は、表示手段２４による表示の開始と停止、音声出力手段２５による音声の発生と停止を制御する。また、制御手段２０は、入力手段２１からの押下信号を解析し、各機能の動作或いは停止についての状態と、各設定値とを判断する。
【００１８】
音声出力手段２５は、音声ガイダンスを第１モードと第２モードとへ切り換え可能に構成されている。ここで、第１モードは、通常の聴力を持つ使用者向けに、音声ガイダンスを標準的な再生速度及び音量とするモードである。第２モードは、聴力に衰えや障害を持つ使用者、例えば高齢者や障害者向けに、音声ガイダンスの再生速度及び音量が調整されたモードとする。
【００１９】
第１モードにおける音声ガイダンスの再生速度に対して、第２モードにおける音声ガイダンスの再生速度は遅く設定されている。第１モードにおける音声ガイダンスの音量に対して、第２モードにおける音声ガイダンスの音量は大きく設定されている。第１モードにおける音声ガイダンスの再生速度をＡ１、音量をＢ１、第２モードにおける音声ガイダンスの再生速度をＡ２、音量をＢ２、とすると、Ａ１＞Ａ２、Ｂ１＜Ｂ２の関係が成り立つ。再生速度Ａ１、Ａ２、音量Ｂ１、Ｂ２は予め設定され、例えば制御手段２０に格納されている。
【００２０】
表示手段２４は、文字ガイダンスを第１モードと第２モードとへ切り換え可能に構成されている。ここで、第１モードは、文字ガイダンスのスクロールを標準的な速度とするモードである。第２モードは、例えば高齢者や障害者向けに、文字ガイダンスをスクロールさせる速度が調整されたモードとする。第１モードにおいて文字ガイダンスをスクロールさせる速度に対して、第２モードにおいて文字ガイダンスをスクロールさせる速度は遅く設定されている。第１モードにおけるスクロールの速度をＣ１、第２モードにおけるスクロールの速度をＣ２、とすると、Ｃ１＞Ｃ２の関係が成り立つ。速度Ｃ１、Ｃ２は予め設定され、例えば制御手段２０に格納されている。
【００２１】
台所リモートコントローラ３は、制御手段３０、入力手段３１、表示手段３４及び音声出力手段３５の他、電源３２及び通信回路３３を備える。入力手段３１は、各種の入力操作のための複数のスイッチを備える。通信回路３３は、台所リモートコントローラ３とふろ給湯機本体１との間における通信信号の変換を行う。制御手段３０は、通信信号の解析、及び通信信号の送受信をする。表示手段３４は、文字等を表示するドット表示部３０１を備える。ドット表示部３０１は、例えば、液晶表示装置である。
【００２２】
音声出力手段３５は、音声ＩＣ３０２、アンプ３０３、スピーカ３０４を備える。音声ＩＣ３０２は、音声信号を合成する。アンプ３０３は、合成された音声信号を増幅させる。スピーカ３０４は、音声信号を電子音や音声ガイダンス等の音声へ変換させる。制御手段３０は、表示手段３４による表示の開始と停止、音声出力手段３５による音声の発生と停止を制御する。
【００２３】
また、制御手段３０は、入力手段３１からの押下信号を解析し、各機能の動作或いは停止の状態の判断と、各設定値の状態とを判断する。音声出力手段３５は、浴室リモートコントローラ２の音声出力手段２５と同様に、音声ガイダンスを第１モードと第２モードとに切り換え可能に構成されている。表示手段３４は、浴室リモートコントローラ２の表示手段２４と同様に、文字ガイダンスを第１モードと第２モードとへ切り換え可能に構成されている。
【００２４】
ヒートポンプユニット４は、制御手段４０の他、電源４１及び通信回路４２を備える。通信回路４２は、ヒートポンプユニット４とふろ給湯機本体１との間における通信信号の変換を行う。制御手段４０は、通信信号の解析、及び通信信号の送受信をする。
【００２５】
図３は、浴室リモートコントローラ２の外観を概略的に表した平面図である。浴室リモートコントローラ２の外観には、入力手段２１、表示手段２４及びスピーカ２０４が設けられている。図示するドット表示部２０１の表示は、ふろ給湯機本体１の各機能を停止させている場合における状態を表している。ふろ給湯機本体１の各機能を停止させているとき、ドット表示部２０１には、例えば、時刻が表示されている。ふろ給湯機本体１の湯はり機能を動作させている場合は、ドット表示部２０１は、例えば、図４に示すように、「お湯はりをします」との文字ガイダンスを表示する。
【００２６】
図３に戻って、入力手段２１が備える複数のスイッチのうち、湯はりスイッチ２１１は、浴槽への湯はり機能の動作及び停止を操作するためのスイッチである。モード切り換え手段であるモード切り換えスイッチ２１２は、音声ガイダンス及び文字ガイダンスの第１モードと第２モードとを一括して切り換えるためのスイッチである。再生手段である再生スイッチ２１３は、前回の音声ガイダンスと文字ガイダンスとの再生及び停止を指示するためのスイッチである。
【００２７】
また、入力手段２１は、例えば、以下に説明する各種スイッチを備える。変更スイッチは、蛇口へ給湯する湯の設定温度、浴槽へ給湯する湯の設定温度や湯量等の設定値を変更するためのスイッチである。優先切り換えスイッチは、一般の蛇口給湯と浴槽への給湯とで設定温度の変更を優先させる対象を切り換えるためのスイッチである。音量スイッチは、スピーカ２０４から出力する音声の設定音量等の設定値を変更するためのスイッチである。さらに、入力手段２１は、ふろ給湯機本体１の各機能の動作及び停止を操作するための各機能スイッチ等を備える。
【００２８】
図５は、ふろ給湯システムにおける第１の制御処理の手順を説明するフローチャートである。第１の制御処理は、ふろ給湯機本体１に対して、所定の機能を開始させる場合の制御処理とする。ここでは、浴室リモートコントローラ２への入力操作による制御処理の手順を例として説明する。ステップＳ１では、制御手段２０は、モード切り換えスイッチ２１２が押下されたか否かを判断する。モード切り換えスイッチ２１２が押下されていない場合（ステップＳ１、Ｎｏ）、ステップＳ１へ戻り、モード切り換えスイッチ２１２が押下されるまでループ状態で待機する。
【００２９】
モード切り換えスイッチ２１２が押下された場合（ステップＳ１、Ｙｅｓ）、ステップＳ２では、モード切り換えスイッチ２１２により指示されたモードが第２モードか否かを判断する。指示されたモードが第２モードである場合（ステップＳ２、Ｙｅｓ）、制御手段２０は、音声出力手段２５により出力される音声ガイダンスの設定、表示手段２４に表示される文字ガイダンスの設定をいずれも第２モードとする（ステップＳ３）。
【００３０】
ステップＳ１においてモード切り換えスイッチ２１２が押下されるまでの設定が第１モードであった場合、制御手段２０は、第１モードのフラグをクリアし、第２モードのフラグをセットすることにより、第１モードから第２モードへ設定を変更させる。モード切り換えスイッチ２１２が押下されるまでの設定が第２モードであった場合、制御手段２０は、設定を第１モードとする（ステップＳ２、Ｓ４）。
【００３１】
モード切り換えスイッチ２１２が押下されるまでの設定が第２モードであった場合、制御手段２０は、第２モードのフラグをクリアし、第１モードのフラグをセットすることにより、第２モードから第１モードへ設定を変更させる。モード切り換えスイッチ２１２が押下されるまでの設定が第１モードであった場合、制御手段２０は、設定を第２モードとする（ステップＳ２、Ｓ３）。このように、音声ガイダンス及び文字ガイダンスの第１モードと第２モードとは、モード切り換えスイッチ２１２の押下により一括して切り換えられる。
【００３２】
ステップＳ５では、制御手段２０は、ふろ給湯機本体１に対する指示、例として、湯はりスイッチ２１１が押下されたか否かを判断する。湯はりスイッチ２１１が押下されていない場合（ステップＳ５、Ｎｏ）、ステップＳ１に戻り、湯はりスイッチ２１１が押下されるまでループ状態で待機する。湯はりスイッチ２１１が押下された場合（ステップＳ５、Ｙｅｓ）、ステップＳ６において、音声ガイダンス及び文字ガイダンスの設定が第２モードか否かを判断する。
【００３３】
音声ガイダンス及び文字ガイダンスの設定が第２モードである場合（ステップＳ６、Ｙｅｓ）、制御手段２０は、ドット表示部２０１に対して、第２モードでの文字ガイダンスの出力を指令する。ドット表示部２０１は、制御手段２０による制御により、例えば、「お湯はりをします」との文字ガイダンスを、右から左へ速度Ｃ２でスクロールさせて表示する（ステップＳ７）。これにより、浴室リモートコントローラ２は、湯はり機能が開始されたことを、表示によって使用者に認識させる。
【００３４】
次に、ステップＳ７においてドット表示部２０１で表示した文字ガイダンスが、表示再生用データＸとして、制御手段２０の記憶手段、例えばＲＡＭに格納される（ステップＳ８）。記憶手段は、表示手段２４により表示された文字ガイダンスを記憶する。
【００３５】
ステップＳ９では、ステップＳ７においてドット表示部２０１で文字ガイダンスを表示してから所定の設定時間が経過したか否かを判断する。設定時間は、文字ガイダンスの表示から音声ガイダンスを出力させるまでの待機時間であって、例えば、文字ガイダンスのスクロールが終了するまでに要する程度の時間とする。なお、設定時間は、使用者によって任意に設定可能であっても良い。所定の設定時間が経過していない場合（ステップＳ９、Ｎｏ）、ステップＳ９に戻り、設定時間が経過するまでループ状態で待機する。
【００３６】
所定の設定時間が経過した場合（ステップＳ９、Ｙｅｓ）、制御手段２０は、音声ＩＣ２０２に対して、音声ガイダンスの出力を指令する。音声出力手段２５は、制御手段２０の制御により、例えば、「お湯はりをします」との音声ガイダンスを、速度Ａ２及び音量Ｂ２で発生させる（ステップＳ１０）。これにより、浴室リモートコントローラ２は、湯はり機能が開始されたことを、音声によって使用者に認識させる。次に、ステップＳ１０において音声出力手段２５から出力された音声ガイダンスが、音声再生用データＹとして、制御手段２０の記憶手段、例えばＲＡＭに格納される（ステップＳ１１）。記憶手段は、音声出力手段２５により出力された音声ガイダンスを記憶する。
【００３７】
音声ガイダンス及び文字ガイダンスの設定が第２モードではない場合（ステップＳ６、Ｎｏ）、制御手段２０は、ドット表示部２０１に対して、第１モードでの文字ガイダンスの出力を指令する。ドット表示部２０１は、制御手段２０による制御により、例えば、「お湯はりをします」との文字ガイダンスを、右から左へ速度Ｃ１でスクロールさせて表示する（ステップＳ１２）。これにより、浴室リモートコントローラ２は、湯はり機能が開始されたことを、表示によって使用者に認識させる。
【００３８】
次に、ステップＳ１２においてドット表示部２０１で表示した文字ガイダンスが、表示再生用データＸとして、制御手段２０の記憶装置、例えばＲＡＭに格納される（ステップＳ１３）。記憶手段は、表示手段２４により表示された文字ガイダンスを記憶する。ステップＳ１４では、ステップＳ１２においてドット表示部２０１で文字ガイダンスを表示してから所定の設定時間が経過したか否かを判断する。所定の設定時間が経過していない場合（ステップＳ１４、Ｎｏ）、ステップＳ１４に戻り、設定時間が経過するまでループ状態で待機する。
【００３９】
所定の設定時間が経過した場合（ステップＳ１４、Ｙｅｓ）、制御手段２０は、音声ＩＣ２０２に対して、音声ガイダンスの出力を指令する。音声出力手段２５は、制御手段２０の制御により、例えば「お湯はりをします」との音声ガイダンスを、速度Ａ１及び音量Ｂ１で発生させる（ステップＳ１５）。これにより、浴室リモートコントローラ２は、湯はり機能が開始されたことを、音声によって使用者に認識させる。次に、ステップＳ１５において音声出力手段２５から出力された音声ガイダンスが、音声再生用データＹとして、制御手段２０の記憶手段、例えばＲＡＭに格納される（ステップＳ１６）。記憶手段は、音声出力手段２５により出力された音声ガイダンスを記憶する。ステップＳ１１、或いはステップＳ１６により、第１の制御処理を終了する。
【００４０】
図６は、ふろ給湯システムにおける第２の制御処理の手順を説明するフローチャートである。第２の制御処理は、第１の制御処理の後、音声ガイダンス及び文字ガイダンスの再生を指示する場合の制御処理とする。ステップＳ１からステップＳ４は、第１の制御処理（図５参照）の場合と同様であるため、説明を省略する。
【００４１】
ステップＳ２１では、制御手段２０は、再生スイッチ２１３が押下されたか否かを判断する。再生スイッチ２１３が押下されない場合（ステップＳ２１、Ｎｏ）、ステップＳ１に戻り、再生スイッチ２１３が押下されるまでループ状態で待機する。再生スイッチ２１３が押下された場合（ステップＳ２１、Ｙｅｓ）、ステップＳ６において、音声ガイダンス及び文字ガイダンスの設定が第２モードか否かを判断する。
【００４２】
音声ガイダンス及び文字ガイダンスの設定が第２モードである場合（ステップＳ６、Ｙｅｓ）、制御手段２０は、記憶手段に格納されている表示再生用データＸを参照する。制御手段２０は、ドット表示部２０１に対して、表示再生用データＸとして格納されている文字ガイダンスを、第２モードで表示することを指令する。ドット表示部２０１は、制御手段２０による制御により、例えば、「お湯はりをします」との文字ガイダンスを、右から左へ速度Ｃ２でスクロールさせる。
【００４３】
このようにして、ドット表示部２０１は、第１の制御処理において一旦表示された文字ガイダンスを、速度Ｃ２で再生させる（ステップＳ２２）。これにより、湯はり機能が開始されたことを、表示によって使用者に再度認識させることができる。使用者は、例えば湯はり機能開始の指示の際に表示を視認できなかった場合であっても、再生スイッチ２１３を押下することにより、ふろ給湯機本体１の状態を容易かつ的確に認識可能となる。
【００４４】
ステップＳ９では、ステップＳ２２においてドット表示部２０１で文字ガイダンスを表示してから所定の設定時間が経過したか否かを判断する。所定の設定時間が経過していない場合（ステップＳ９、Ｎｏ）、ステップＳ９に戻り、設定時間が経過するまでループ状態で待機する。所定の設定時間が経過した場合（ステップＳ９、Ｙｅｓ）、制御手段２０は、記憶手段に格納されている音声再生用データＹを参照する。制御手段２０は、音声ＩＣ２０２に対して、音声再生用データＹとして格納されている音声ガイダンスを、第２モードで出力することを指令する。音声出力手段２５は、例えば、「お湯はりをします」との音声ガイダンスを、速度Ａ２及び音量Ｂ２で発生させる。
【００４５】
このようにして、音声出力手段２５は、第１の制御処理において一旦出力された音声ガイダンスを、速度Ａ２及び音量Ｂ２で再生させる（ステップＳ２３）。これにより、湯はり機能が開始されたことを、音声によって使用者に再度認識させることができる。使用者は、例えば、湯はり機能開始の指示の際に周囲の騒音等のために音声を聴き取れなかった場合であっても、再生スイッチ２１３を押下することにより、ふろ給湯機本体１の状態を容易かつ的確に認識可能となる。
【００４６】
音声ガイダンス及び文字ガイダンスの設定が第２モードではない場合（ステップＳ６、Ｎｏ）、制御手段２０は、記憶手段に格納されている表示再生用データＸを参照する。制御手段２０は、ドット表示部２０１に対して、表示再生用データＸとして格納されている文字ガイダンスを、第１モードで表示することを指令する。ドット表示部２０１は、制御手段２０による制御により、例えば、「お湯はりをします」との文字ガイダンスを、右から左へ速度Ｃ１でスクロールさせる。
【００４７】
このようにして、ドット表示部２０１は、第１の制御処理において一旦表示された文字ガイダンスを、速度Ｃ１で再生させる（ステップＳ２４）。これにより、湯はり機能が開始されたことを、表示によって使用者に再度認識させることができる。使用者は、例えば湯はり機能開始の指示の際に表示を視認できなかった場合であっても、再生スイッチ２１３を押下させることにより、ふろ給湯機本体１の状態を容易かつ的確に認識可能となる。
【００４８】
ステップＳ１４では、ステップＳ２４においてドット表示部２０１で文字ガイダンスを表示してから所定の設定時間が経過したか否かを判断する。所定の設定時間が経過していない場合（ステップＳ１４、Ｎｏ）、ステップＳ１４に戻り、設定時間が経過するまでループ状態で待機する。所定の設定時間が経過した場合（ステップＳ１４、Ｙｅｓ）、制御手段２０は、記憶手段に格納されている音声再生用データＹを参照する。制御手段２０は、音声ＩＣ２０２に対して、音声再生用データＹとして格納されている音声ガイダンスを、第１モードで出力することを指令する。音声出力手段２５は、例えば、「お湯はりをします」との音声ガイダンスを、速度Ａ１及び音量Ｂ１で発生させる。
【００４９】
このようにして、音声出力手段２５は、第１の制御処理において一旦出力された音声ガイダンスを、速度Ａ１及び音量Ｂ１で再生させる（ステップＳ２５）。これにより、湯はり機能が開始されたことを、音声によって使用者に再度認識させることができる。使用者は、例えば、湯はり機能開始の指示の際に音声を聴き取れなかった場合であっても、再生スイッチ２１３を押下させることにより、ふろ給湯機本体１の状態を容易かつ的確に認識可能となる。ステップＳ２３、或いはステップＳ２５により、第２の制御処理を終了する。
【００５０】
以上のように、モード切り換えスイッチ２１２の押下により音声ガイダンス及び文字ガイダンスを一括してモード変換させることにより、容易な操作により、表示と音声との認識し易さの不整合や、いずれか一方についてのモードの設定忘れ、設定の間違いの発生を低減させる。これにより、入力操作への応答が認識し易くなるような設定を、任意かつ簡単な操作により実現できるという効果を奏する。入力操作への応答を使用者に確実に認識させることで、誤った入力操作によるふろ給湯機本体１の無駄な稼動を低減させることも可能となる。
【００５１】
上記の第１の制御処理、第２の制御処理のいずれも、文字ガイダンスの表示に続いて音声ガイダンスを出力させる場合に限られない。先に音声ガイダンスを出力させ、使用者にリモートコントローラへの注意を促してから文字ガイダンスを表示させることとしても良い。また、文字ガイダンスの表示と音声ガイダンスの出力とは同時であっても良い。
【００５２】
音声ガイダンスの第１モード及び第２モードは、音声ガイダンスの再生速度及び音量を異ならせたものとする場合に限られない。第１モード及び第２モードは、音声ガイダンスの再生速度及び音量の少なくとも一方を異ならせたものであれば良い。音声ガイダンスの再生速度及び音量の少なくとも一方を変更可能とすることで、入力操作への応答が認識し易くなるような設定を可能にできる効果を得ることができる。
【００５３】
文字ガイダンスの第１モード及び第２モードは、文字ガイダンスのスクロールの速度を異ならせる他、例えば、随時文字を表示させる速度を異ならせることとしても良い。本実施の形態において、文字ガイダンスの表示速度とは、文字ガイダンスのスクロールの速度や、随時文字を表示させる速度をいうものとする。文字ガイダンスの表示速度を変更可能とすることで、入力操作への応答が認識し易くなるような設定を可能にできる効果を得ることができる。
【００５４】
台所リモートコントローラ３の構成及び制御は、図３から図６を参照して説明した浴室リモートコントローラ２の構成及び制御と同様としても良い。給湯システムは、浴室リモートコントローラ２及び台所リモートコントローラ３に加えて、さらに給湯機用リモートコントローラを増設しても良い。増設される給湯機用リモートコントローラの構成及び制御は、浴室リモートコントローラ２の構成及び制御と同様としても良い。
【００５５】
給湯機用リモートコントローラは、モード切り換え手段として専用のモード切り換えスイッチ２１２を設ける構成に限られない。入力手段２１、３１に設けられたスイッチのいずれかをモード切り換え手段として用いても良い。例えば、特定のスイッチを所定時間以上長押しすることによりモードを切り換えることとしても良い。
【００５６】
第１の制御処理、第２の制御処理のいずれも、湯はりスイッチ２１１の押下により湯はりを開始させる場合以外に、ふろ給湯機本体１の稼動に関するいずれの入力操作に対しても適用可能である。例えば、蛇口へ給湯する湯の設定温度、浴槽へ給湯する湯の設定温度や湯量等の設定値を変更する場合、蛇口への給湯と浴槽への給湯とで設定温度の変更を優先させる対象を切り換える場合、ふろ給湯機本体１の各機能の動作及び停止を操作する場合、スピーカ２０４から出力する音声の設定音量等の設定値を変更する場合の操作に対して上記の制御処理を適用することで、本実施の形態で説明する効果を得ることができる。
【００５７】
本実施の形態は、ヒートポンプユニット４による沸き上げ方式を採用する給湯システム以外の給湯システムに応用しても良い。本実施の形態は、例えば、ヒータ式の電気温水器による沸き上げ方式を採用する給湯システムに適用しても良い。この場合、熱源として、ヒートポンプユニット４に代えて、ふろ給湯機本体１に内蔵される沸き上げ用ヒータが用いられる。沸き上げ用ヒータは、ふろ給湯機本体１の制御手段１０によって直接制御される。
【産業上の利用可能性】
【００５８】
本発明に係る給湯機用リモートコントローラ及び給湯システムは、家庭用又は業務用の給湯機用リモートコントローラ及び給湯システムとして有用である。
【符号の説明】
【００５９】
１  ふろ給湯機本体
２  浴室リモートコントローラ
３  台所リモートコントローラ
４  ヒートポンプユニット
１０、２０、３０、４０  制御手段
２１、３１  入力手段
２４、３４  表示手段
２５、３５  音声出力手段
２１２  モード切り換えスイッチ
２１３  再生スイッチ
【図１】
2010276283.tif 000003
【図２】
2010276283.tif 000004
【図３】
2010276283.tif 000005
【図４】
2010276283.tif 000006
【図５】
2010276283.tif 000007
【図６】
2010276283.tif 000008